(57)【特許請求の範囲】
【請求項１】
ネットワークを介して端末を接続させるデータ管理装置が設けられていると共に、前記データ管理装置の制御手段が前記端末の操作によりサーバ設定画面とサーバ管理画面を前記端末の表示手段に選択的に表示させるクラウドサーバ管理システムであって、
前記制御手段は、前記ネットワークを示すネットワークマークと、前記データ管理装置のファイアウォールを示すために前記ネットワークマークに接続されたファイアウォール画像と、前記ファイアウォールによって前記データ管理装置のストレージに確保されるサーバ領域を示すための多段のサーバラインと、を前記サーバ管理画面に表示させ、複数の画像配置選択部が直線状に配列された選択部配列を前記多段の各サーバラインに対応させてそれぞれ設けることにより、前記複数の画像配置選択部がマトリクス状に配列されたサーバ画像配置設定部を前記サーバ設定画面に表示させると共に、
前記制御手段は、前記複数の画像配置選択部の一つが前記端末の操作手段で選択されたとき、前記ストレージに構築される仮想サーバのサーバ画像を、選択された前記画像配置選択部の配列位置に対応させて前記サーバ管理画面に表示させると共に、この表示に際して前記サーバ画像を前記サーバラインに接続した状態で前記サーバ管理画面に表示させることを特徴とするクラウドサーバ管理システム。
【請求項２】
ネットワークを介して端末を接続させるデータ管理装置が設けられていると共に、前記データ管理装置の制御手段が前記端末の操作によりサーバ設定画面とサーバ管理画面を前記端末の表示手段に選択的に表示させるクラウドサーバ管理システムであって、
前記制御手段は、前記ネットワークを示すネットワークマークと、前記データ管理装置のファイアウォールを示すために前記ネットワークマークに接続されたファイアウォール画像と、前記ファイアウォールによって前記データ管理装置のストレージに確保されるサーバ領域を示すためのサーバラインと、を前記サーバ管理画面に表示させ、複数の画像配置選択部が配列されたサーバ画像配置設定部を前記サーバ設定画面に表示させると共に、
前記制御手段は、前記複数の画像配置選択部の一つが前記端末の操作手段で選択されたとき、前記ストレージに構築される仮想サーバのサーバ画像を、選択された前記画像配置選択部の配列位置に対応させて前記サーバ管理画面に表示させると共に、この表示に際して前記サーバ画像を前記サーバラインに接続した状態で前記サーバ管理画面に表示させ、前記サーバ管理画面に表示された前記仮想サーバの配置状態および使用状態を当該仮想サーバに対応する前記画像配置選択部に表示させることを特徴とするクラウドサーバ管理システム。
【請求項３】
請求項１又は２に記載のクラウドサーバ管理システムにおいて、
前記制御手段は、前記各サーバ画像にサーバ内容設定用の複数の設定アイコンを表示させることを特徴とするクラウドサーバ管理システム。
【請求項４】
請求項１又は３に記載のクラウドサーバ管理システムにおいて、
前記制御手段は、前記サーバ管理画面に表示された仮想サーバの配置状態および使用状態を当該仮想サーバに対応する前記画像配置選択部に表示させることを特徴とするクラウドサーバ管理システム。
【請求項５】
請求項２又は４に記載のサーバ管理システムにおいて、
前記制御手段は、前記仮想サーバの配置状態および使用状態を前記複数の画像配置選択部に異なる色で表示させることを特徴とするサーバ管理システム。
【発明の詳細な説明】
【技術分野】
【０００１】
この発明は、仮想サーバを、インターネットや広域ＬＡＮ回線などのネットワークを介して提供するクラウドサーバ管理システムに関するものである。
【背景技術】
【０００２】
近年、インターネットをベースとしたコンピュータ資源の利用形態、即ちクラウドコンピューティングに着目して、インターネット経由で仮想環境を提供するIaaS（Infrastructure as a Service）の事業を行う企業が出現している（特許文献１参照）。
【０００３】
また、使用者が管理する設備内に情報システムを導入、設置して使用する形態のオンプレミスを採用している企業も多い。このような企業では、オンプレミスにクラウド環境を採用して、社内サービスとして提供するプライベートクラウドのニーズも増えている。
【０００４】
このプライベートクラウドを構築する場合、データセンタにおいてバックエンドで稼働するサーバ環境として、VMwareやXen，Hyper-Visor等の仮想環境を採用するのが普通である。また、社内の複数の部署や支社、事業部等がそれぞれ個別にサーバを利用することも考えられるので、サーバ環境として複数の仮想サーバを構築する必要がある。
【０００５】
複数の仮想サーバを構築する場合、通常は、サーバを提供する会社のシステム管理者が、仮想サーバの設定に必要なサーバ設定画面を立ち上げて、必要な入力を行うのが一般的である。このようにして構築された複数の仮想サーバを管理する場合、一般的には、システム管理者が複数の仮想サーバを表形式で一覧表示させて、確認できるようにしているのが普通である。
【先行技術文献】
【特許文献】
【０００６】
【特許文献１】特開２０１２−２１２３８９号公報
【発明の概要】
【発明が解決しようとする課題】
【０００７】
しかしながら、表形式の一覧表示では、行間が詰まっているために、仮想サーバの数が多い場合、仮想サーバの識別を直感的に行うことが難しいものであった。また、表形式の一覧表示では、仮想サーバが置かれている環境が、クラウド環境におけるプライベートクラウドであるのか、単なるオンプレミスの環境であるのかを直感的に把握しにくいものであった。
また、ユーザがクラウドを介して提供されるサーバに仮想サーバを自由かつ簡易に構築できるものではなかった。
【０００８】
そこで、この発明は、ユーザがクラウドを介して提供されるサーバに仮想サーバを自由かつ簡易に構築できると共に、クラウド環境におけるプライベートクラウドやパブリッククラウド等であることを直感的に容易に把握できるクラウド仮想サーバ管理システムを提供することを目的とするものである。
【課題を解決するための手段】
【０００９】
この発明は、ネットワークを介して端末を接続させるデータ管理装置が設けられていると共に、前記データ管理装置の制御手段が前記端末の操作によりサーバ設定画面とサーバ管理画面を前記端末の表示手段に選択的に表示させるクラウドサーバ管理システムであって、前記制御手段は、前記ネットワークを示すネットワークマークと、前記データ管理装置のファイアウォールを示すために前記ネットワークマークに接続されたファイアウォール画像と、前記ファイアウォールによって前記データ管理装置のストレージに確保されるサーバ領域を示すための多段のサーバラインと、を前記サーバ管理画面に表示させ、複数の画像配置選択部が直線状に配列された選択部配列を前記多段の各サーバラインに対応させてそれぞれ設けることにより、前記複数の画像配置選択部がマトリクス状に配列されたサーバ画像配置設定部を前記サーバ設定画面に表示させると共に、前記制御手段は、前記複数の画像配置選択部の一つが前記端末の操作手段で選択されたとき、前記ストレージに構築される仮想サーバのサーバ画像を、選択された前記画像配置選択部の配列位置に対応させて前記サーバ管理画面に表示させると共に、この表示に際して前記サーバ画像を前記サーバラインに接続した状態で前記サーバ管理画面に表示させることを特徴とする。
【発明の効果】
【００１０】
この構成によれば、ユーザがクラウドを介して提供されるサーバに仮想サーバを自由かつ簡易に構築できる。しかも、クラウド環境におけるプライベートクラウドやパブリッククラウド等であることを直感的に容易に把握できる。また、仮想サーバの設定状態や仮想サーバの設けられている場所（領域）を容易に把握できる。更に、複数の画像配置選択部の一つが端末の操作手段で選択されたとき、ストレージに構築される仮想サーバのサーバ画像を、選択された前記画像配置選択部の配列位置に対応させてサーバ管理画面に表示させる構成としたので、構築される仮想サーバのサーバ画像をサーバ管理画面に簡単な操作で容易に配置できる。
【図面の簡単な説明】
【００１１】
【図１】本発明に係るクラウドサーバ管理システムの概略構成を概念的に示した説明図である。
【図２】図１のクラウドサーバ管理システムにおいて仮想サーバを構築する際のフローチャートである。
【図３】ユーザがインターネットを介して仮想サーバを構築する際のサーバ管理画面の一例を示す説明図である。
【図４】登録されたユーザが仮想サーバを構築（作成）するプロジェクトを作成するためのログインの画面である。
【図５】仮想サーバを作成（構築）するプロジェクトの一覧を示す画面である。
【図６】新規プロジェクトの作成画面である。
【図７】作成されたプロジェクトの情報を確認するための画面である。
【図８】作成されたプロジェクト一覧を示す画面である。
【図９】プロジェクト状況表示（初期状態）の画面である。
【図１０】ネットワークの設定のための監視用アドレスの設定の画面である。
【図１１】ネットワークの設定のためのセグメントの確認のための画面である。
【図１２】設定状況表示画面（サーバ管理画面）である。
【図１３】仮想サーバ画面（サーバ設定画面）である。
【図１４】仮想サーバのサーバ画像をサーバ管理画面に配置する際に用いるサブ画面（サーバ画像配置設定部）である。
【図１５】仮想サーバの設定状況表示画面の初期状態を示す説明図である。
【図１６】仮想サーバの作成画面におけるＩＳＯイメージマウントの説明図である。
【図１７】ＩＳＯイメージマウント」画面（ＯＳインストール画面）である。
【図１８】仮想サーバにＯＳをインストールするための説明図である。
【図１９】仮想サーバの基本情報を示すダッシュボード画面である。
【図２０】仮想サーバのＯＳをインストールしているときの画面の説明図である。
【図２１】ＯＳがインストールされた一つの仮想サーバの説明図である。
【図２２】複数の仮想サーバが多段に構築された例を示すサーバ管理画面の説明図である。
【図２３】図２２の仮想サーバの説明を除いた状態のサーバ管理画面の一例を示す説明図である。
【発明を実施するための形態】
【００１２】
以下、この発明の実施の形態を図面に基づいて説明する。
図１は、クラウドサーバ管理システムの概略構成を概念的に示したものである。
【００１３】
(1).クラウドサーバ管理システムの概略構成
この図１において、エンドユーザ１の端末２はインターネット３を介してクラウドサーバ（データ管理装置）４にアクセスできる。このクラウドサーバ４は、クラウド管理ツール部５と、このクラウド管理ツール部５により操作されるクラウド環境リソースプール６を有する。
【００１４】
このクラウド管理ツール部５はクラウドポータル機能部７とクラウド環境管理機能部８を有する。また、クラウド環境リソースプール６は、インターネット９ａ又はイントラネット９ｂ等のネットワーク９、物理サーバ１０、ストレージ１１を有する。そして、クラウドユーザ１２は、ネットワーク９を介してクラウド環境リソースプール６にアクセスできる。
【００１５】
＜クラウドポータル機能部７＞
クラウドポータル機能部７は、アイコン７ａで示したＷｅｂ申込受付の機能、アイコン７ｂで示したアカウント／顧客管理の機能、アイコン７ｃで示したクラウド環境表示の機能、アイコン７ｄで示したダッシュボードの機能、アイコン７ｅで示したコントロールパネルの機能、アイコン７ｆで示した監視／通報設定の機能を有する。このクラウドポータル機能部７はエンドユーザ１の端末２によりインターネット３を介して利用可能となっている。尚、端末２は、コンピュータ本体２ａと、このコンピュータ本体２ａに接続された表示装置（液晶表示器、ＥＬ等）２ｂと、コンピュータ本体２ａを操作するキーボード（操作部）２ｃ、図示を省略した操作部としてのマウス等を備えている。
【００１６】
・Ｗｅｂ申込受付
このＷｅｂ申込受付は、Ｗｅｂから新規申込を受け付けて、顧客ＩＤ／ユーザＩＤを発行するのに用いられる。
・アカウント／顧客管理
このアカウント／顧客管理は、代理店単位、顧客単位でのアカウント（ユーザ）を管理するのに用いられる。
・クラウド環境表示
クラウド環境表示（クラウド環境一覧表示）は、クラウド環境内の仮想サーバをネットワーク図上に配置して、一覧で表示する。また、独立したプライベートセグメントを作成したり、セグメントのＩＰアドレスを設定する際にも用いられる。
・ダッシュボード
このダッシュボードは、仮想サーバの稼働状態、ＯＮ／ＯＦＦ操作、ＩＳＯイメージのマウント操作、及びリソース情報やログ情報を表示する。
・コントロールパネル
このコントロールパネルは、仮想サーバのリソース変更や構成変更、バックアップ／リストアを実行する。
・監視／通報設定
この監視／通報設定は、システム異常が発生した場合の通報先や、仮想サーバ毎の監視項目について設定する。
【００１７】
＜クラウド環境管理機能部８＞
クラウド環境管理機能部８は、物理機器／リソース管理の機能と、ネットワーク／ＩＰ管理の機能と、テンプレート管理の機能と、カタログ／サービス管理の機能と、利用実績管理の機能を有する。このクラウド環境管理機能部８は、クラウドサーバ４によるクラウドサーバサービスを提供する側の管理者の端末１３によりアクセス可能となっている。
尚、端末１３は、コンピュータ本体１３ａと、このコンピュータ本体１３ａに接続された表示装置（液晶表示器、ＥＬ等）１３ｂと、コンピュータ１３ｂを操作するキーボード（操作部）１３ｃ、図示を省略した操作部としてのマウス等を備えている。
【００１８】
・物理機器／リソース管理
この物理機器／リソース管理は、物理サーバ、ストレージ／ボリュームなどの機器を管理する。
・ネットワーク／ＩＰ管理
このネットワーク／ＩＰ管理は、ネットワーク装置、グローバルＩＰ、ＶＬＡＮ−ＩＤを管理する。
・テンプレート管理
このテンプレート管理は、予めシステムで用意した仮想化イメージや、ユーザが作成したテンプレートやＩＳＯイメージを管理する。
・カタログ／サービス管理
このカタログ／サービス管理は、オファリングや、イベント作業などマスターを管理する。マスターはエンドユーザ又はサーバ提供側の代理店毎に設定が可能である。
・利用実績管理
この利用実績管理は、エンドユーザの代理店／エンドユーザ（顧客）毎に、クラウド環境の利用実績をＣＳＶにて出力する。
【００１９】
(2).多段ネットワークの構築
(i)．ユーザ登録（顧客登録）
図１のエンドユーザ（顧客）１が、クラウドサーバサービスを提供しているクラウドサーバ４に多段ネットワークの構築をしたい場合、申請書で受付申込みを行うか、端末２でインターネット３を介してクラウドサーバ４にアクセスして、Ｗｅｂ受付申込みを行う。このＷｅｂ受付申込みは図２のフローチャートに示す流れで行われる。以下、この流れを図２に基づいて説明する。
【００２０】
（ａ）．申請書等による受付申込み
エンドユーザ（顧客）１は、自分も含めて、他のシステム管理者として登録したいユーザ（会社の課・部や、支社、営業所等その他、個人）を、クラウドサーバ４を提供しているサーバ運営会社に申請書（Ｆａｘも含む）により受付申込みを行うことができる。この受付申込みがクラウドサーバ４を提供しているサーバ運営会社に申請書（Ｆａｘも含む）により行われた場合、サーバ運営会社はシステム管理者に端末１３を介して顧客情報の登録を行わせる。
クラウドサーバ４を提供しているサーバ運営会社のシステム管理者は、端末１３によりクラウドサーバ４にログインして（ステップＳ１）、顧客情報入力画面（図示せず）を呼び出し、顧客情報（エンドユーザ１の情報）を入力して登録する（ステップＳ２）。この登録内容は図１のストレージ１１に記録される。
【００２１】
そして、顧客（エンドユーザ１）からの申請書に、顧客（エンドユーザ１）以外に他のシステム管理者として登録したいユーザ（会社の課・部や、支社、営業所等その他、個人）が記載されていた場合、サーバ運営会社のシステム管理者は端末１３を介して、他のシステム管理者として登録したいユーザ（会社の課・部や、支社、営業所等その他、個人）を、そのユーザ情報を入力して登録する（ステップＳ３）。このような登録は、物理サーバ１０の制御回路（制御部）１０ａにより行われて、ストレージ１１に記録される。この登録が完了すると制御回路１０ａは、「顧客ＩＤ、ユーザＩＤ、パスワード等」の情報をエンドユーザ（顧客）１の端末２にインターネット３を介してメールにより通知する。
【００２２】
（ｂ）．Ｗｅｂによる受付申込み
エンドユーザ（顧客）１は、自分も含めて、他のシステム管理者として登録したいユーザ（会社の課・部や、支社、営業所等その他、個人）を、クラウドサーバ４を提供しているサーバ運営会社にインターネット３を介してＷｅｂによる受付申込を行うことができる。
【００２３】
この場合、エンドユーザ（顧客）１は、端末２によりインターネット３を介してサーバ運営会社が提供するクラウドサーバ４に物理サーバ１０にアクセスして、受付申込み画面（図示せず）を呼び出し、この受付申込み画面においてメールアドレスの登録を行う（ステップＳ２０）。これにより、物理サーバ１０の制御回路１０ａは、顧客情報の登録ＵＲＬをインターネット３を介してメールによりエンドユーザ（顧客）１の端末２に通知する（ステップＳ２１）。
この送付後、エンドユーザ（顧客）１は、端末２を介して顧客情報の登録ＵＲＬにアクセスすることにより、クラウドサーバ４の物理サーバ１０から顧客情報入力画面（図示せず）を呼び出して、エンドユーザ（顧客）１の情報を顧客情報として入力し、登録する（ステップＳ２２）。
【００２４】
この際、エンドユーザ（顧客）１は、自分も含めて、他のシステム管理者として登録したいユーザ（会社の課・部や、支社、営業所等その他、個人）を登録できる。この登録内容はストレージ１１に記録される。尚、以下の説明でも登録内容はストレージ１１に記録される。
【００２５】
そして、登録が完了すると、物理サーバ１０の制御回路１０ａは、「顧客／ユーザＩＤ、パスワード」を発行し（ステップＳ２３）、この発行した「顧客ＩＤ、ユーザＩＤ、パスワード等」の情報をインターネット３を介してメールによりエンドユーザ（顧客）１の端末２に通知する（ステップＳ２４）。
【００２６】
（ｃ）．顧客／登録ユーザ
上述したように申請書（Ｆａｘも含む）で受付申込み、又はＷｅｂによる受付申込みにより、顧客ＩＤ、ユーザＩＤ、パスワード等が発行されると、登録された顧客及びユーザは、「顧客ＩＤ、ユーザＩＤ、パスワード等」の情報を用いて、登録ユーザ２０（図３参照）としてインターネット３を介して図１のクラウドサーバ４にアクセスできる。
【００２７】
この際、登録ユーザ２０が、図３に示すクラウドサーバ４側の表示装置２２の画面２２ａに示したようなクラウド環境を構築する場合について説明する。この場合、端末２１の表示装置２１ｂには、クラウドサーバ４側の表示装置２２の画面２２ａに示したクラウド環境と同じ画面がインターネット３を介して表示される。
【００２８】
(ii)．登録ユーザ（顧客）２０による仮想サーバの構築
図３において、登録ユーザ（顧客）２０が図３の表示装置２２の画面２２ａに示したようなクラウド環境を構築する場合、先ずインターネット３を介して図１のクラウドサーバ４にアクセスして、図４に示したログイン画面を図３の端末２１の表示装置２１ｂに表示させる。
【００２９】
このログイン画面において登録ユーザ２０は、通知された顧客ＩＤ、ユーザＩＤ、パスワードを入力枠（入力部）２３，２４，２５にそれぞれ入力して、「ログイン」ボタン２６をマウス(図示せず)によりクリック（押下）することにより、ログインする（ステップＳ４）。このログインにより、ストレージ１１内に仮想サーバを作成（設定）するプロジェクトの操作が開始され、表示装置２１ｂには、図５のプロジェクト一覧表が示されるプロジェクト画面２７が表示される。
【００３０】
このプロジェクト画面２７の上部にはメニューリボン（メニューバー）２８が表示され、このメニューリボン２８には、ホームアイコン２８ａ，プロジェクトアイコン２８ｂ、リソース一覧アイコン２８ｃ，ユーザ一覧アイコン２８ｄが整列表示される。また、このメニューリボン２８の下側には、プロジェクトの一覧を示すプロジェクト一覧表２９が表示される。３０は「ログアウト」ボタンである。
【００３１】
今回のアクセスは初回であるので、図５のプロジェクト一覧表２９にはプロジェクトが何も表示されていない。即ち、ストレージ１１内には仮想サーバが作成されていない。この状態で、メニューのプロジェクトアイコン２８ｂを選択し、マウス(図示せず)により「新規」ボタン３１をクリックする（ステップＳ５）。これにより、図６のプロジェクト作成画面３２が表示装置２１ｂに表示される。このプロジェクト作成画面３２には、「登録」ボタン３３，「戻る」ボタン３４が表示されると共に、プロジェクト詳細を入力するプロジェクト入力部３５が表示される。このプロジェクト入力部３５には、プロジェクトＩＤ、プロジェクト名、プロジェクトユーザ、備考等の入力枠（入力部）３５ａ、３５ｂ、３５ｃ、３５ｄが設けられている。
【００３２】
この入力枠３５ａ、３５ｂ、３５ｃにプロジェクトＩＤ、プロジェクト名、プロジェクトユーザを入力する。この入力は図示しないマウスやキーボード２１ｃ（図３参照）を用いて行う。例えば、入力枠３５ａに「ＰＪ００１」、入力枠３５ｂに「会社経理システム」、入力枠３５ｃに「四国三郎」等をそれぞれ入力して、「登録」ボタン３３をマウス（図示せず）でクリックすることにより、入力した内容を登録する。この登録により、図７のプロジェクトの情報の確認のためのプロジェクト確認画面３６が表示装置２１ｂに表示される。このプロジェクト確認画面３６では、「編集」ボタン３７，「削除」ボタン３８、「戻る」ボタン３９が表示されると共に、プロジェクト入力部３５には、入力したプロジェクトの情報とプロジェクトの作成日が表示される。
【００３３】
登録したプロジェクト情報を確認してＯＫであれば「戻る」ボタン３９をマウス(図示せず)でクリックし、修正をする場合は「編集」ボタン３７をマウス(図示せず)でクリックする。
【００３４】
「戻る」ボタン３９をクリックすると、図８に示した登録一覧画面４０（プロジェクト画面２７と同じ）が表示装置２１ｂに表示される。この登録一覧画面４０には、登録されたプロジェクト一覧を示す一覧表（リスト）４０ａが表示される。この際、一覧表４０ａには、Ｎｏ、照会、プロジェクトＩＤ、プロジェクト名、ユーザの項目がこの順で表示される。このＮｏは通し番号であり、照会には検索アイコン４１とプロジェクトアイコン４２が表示される。また、プロジェクトＩＤ、プロジェクト名、ユーザの項目の下方には、入力した内容、例えば上述した例では「ＰＪ００１」、「会社経理システム」、「四国三郎」がそれぞれ表示される。
【００３５】
この登録一覧画面４０では、「新規」ボタン３１をマウス(図示せず)でクリックすることにより、仮想サーバを構築するための新たなプロジェクトを作ることができる。
【００３６】
また、プロジェクト内に仮想サーバを構築する場合には、プロジェクトアイコン４２をマウス(図示せず)でクリックする。これにより、表示装置２１ｂには、図９のプロジェクト状況表示画面４３が表示される。今回は最初で初期状態であるので、ストレージ１１内に仮想サーバが構築されておらず、ネットワーク設定部４４には何も表示されていない。
【００３７】
この状態で、「ネットワーク設定」ボタン４５をマウス(図示せず)でクリックすると（ステップＳ６）、図１０に示したネットワーク設定のための監視用アドレス設定画面４６が表示される。この監視用アドレス設定画面４６には、仮想サーバの監視を行うネットワークの設定を行う監視用のＩＰアドレスの選択肢を示すアドレス選択枠４７が表示される。このアドレス選択枠４７には、アドレスリストを表示させるボタン４７ａが設けられている。
【００３８】
そして、このボタン４７ａをマウス(図示せず)でクリックすると、複数のアドレスが表示されたプルダウン式の選択リストが表示される。このアドレスのリストの中から一つを選択する（本実施例では、例えばＩＰアドレスとして１．２．３．４／２４が選択されている）。この選択後に「登録」ボタン４８をマウス(図示せず)でクリックすることにより、図１１のネットワーク設定のセグメント確認画面４９が表示装置２１ｂにサーバ管理画面の一つとして表示される。
【００３９】
このセグメント確認画面４９には、選択して登録したＩＰアドレス（本実施例では、例えば図１０に示したようにＩＰアドレスとして１．２．３．４／２４）が「登録」ボタン４８より下側に表示される。
また、このＩＰアドレス（本実施例では、例えばＩＰアドレスとして１．２．３．４／２４）の下方には、複数のネットワークセグメントＡ、Ｂ、Ｃ・・・の情報入力部（本実施例では最大６つ）が表示される。各ネットワークセグメントＡ、Ｂ、Ｃ・・・の情報入力部は同じ構成であるので、各ネットワークセグメントＡ、Ｂ、Ｃ・・・の情報入力部をセグメント情報入力部５０として説明する。
このセグメント情報入力部５０には、セグメントの種類を入力する入力枠（入力部）５０ａ、セグメントの名称を入力する入力枠（入力部）５０ｂ、アドレスの入力枠（入力部）５０ｃが設けられている。
【００４０】
入力枠５０ａにはボタン５０ａ１が設けられていて、このボタン５０ａ１をマウス(図示せず)でクリックすることにより、セグメントの種類のリストがプルダウンメニューで表示される。このセグメントの種類のリストには、例えば「標準インターネット接続」、「プライベートセグメント」等その他の種類が予め用意されている。このリストの中からセグメントの種類を選択する。この入力枠５０ａの選択により、作成されるセグメントの属性が設定される。
【００４１】
即ち、入力枠５０ａの接続に関し、「標準インターネット接続」を選択したときには、セグメント内の仮想サーバがインターネットを介して一般に公開されるグローバル接続となるように、ストレージ１１のセグメント内の領域の属性が設定される。
【００４２】
また、入力枠５０ａの接続に関し、「プライベートセグメント」を選択したときには、セグメント内の仮想サーバがインターネットを介して顧客／ユーザの端末に接続されるプライベートセグメントが設定される。一方、「プライベートセグメント」の場合にはストレージ１１に形成（設定）するセグメントをＤＭＺ（非武装地帯）セグメントとするか又は社内ＯＡセグメントとするかの設定をする（後述）。
【００４３】
ところで、本実施例のネットワークセグメントＡにおけるセグメント情報入力部５０の入力枠５０ａ、５０ｂ、５０ｃには、一例として「標準インターネット接続」、「グローバルセグメント」、「１．１．１．１８」が一例として入力されている。
【００４４】
また、本実施例のネットワークセグメントＢにおけるセグメント情報入力部５０の入力枠５０ａ、５０ｂ、５０ｃには、一例として「プライベートセグメント」、「ＤＭＺセグメント」、「１９２．１６８．０．１／２４」が一例として入力されている。「ＤＭＺセグメント」は、インターネットからアクセス可能なプライベートセグメントである
【００４５】
更に、本実施例のネットワークセグメントＣにおけるセグメント情報入力部５０の入力枠５０ａ、５０ｂ、５０ｃには、一例として「プライベートセグメント」、「社内ＯＡセグメント」、「１９２．１６８．１０．１／２４」が一例として入力されている。
【００４６】
尚、セグメント確認画面４９には、複数のネットワークセグメントＡ、Ｂ、Ｃ・・・に対応して確保されるサーバ領域を示すサーバ予約ラインＲＬａ，ＲＬｂ，ＲＬｃ・・・が表示される。さらに、セグメント確認画面４９には、各サーバ予約ラインＲＬａ，ＲＬｂ，ＲＬｃ・・・の真下に位置すると共に、各サーバ予約ラインＲＬａ，ＲＬｂ，ＲＬｃ・・・の延びる方向に間隔をおいて複数のサーバ予約エリアＳＲＡが表示される。
【００４７】
上述したように複数のネットワークセグメントＡ、Ｂ、Ｃ・・・におけるセグメント情報入力部５０の幾つかに設定したい内容を入力した後、「登録」ボタン４８をマウス(図示せず)でクリックすることにより、図１２のプロジェクト表示のネットワーク設定状態を表示する設定状態表示画面５２が表示装置２１ｂにサーバ管理画面として表示される。
【００４８】
この設定状態表示画面５２には、図１１の複数のネットワークセグメントＡ、Ｂ、Ｃ・・・により設定されたセグメント５３Ａ、５３Ｂ、５３Ｃ・・・が表示される。また、この設定状態表示画面５２には、複数のセグメント５３Ａ、５３Ｂ、５３Ｃ・・・に対応して確保されるサーバ領域を示すサーバラインＬａ，Ｌｂ，Ｌｃ・・・が表示される。なお、サーバラインＬａは、インターネットと接続されるグローバルセグメントであり、サーバラインＬｂ、Ｌｃ・・・は、プライベートセグメントである。さらに、設定状態表示画面５２には、各サーバラインＬａ，Ｌｂ，Ｌｃ・・・の真下に位置すると共に、各サーバラインＬａ，Ｌｂ，Ｌｃ・・・の延びる方向に間隔をおいて複数の画像配設位置を示す位置マーク「Ａ−１、Ａ−２、Ａ−３、・・・」、「Ｂ−１、Ｂ−２、Ｂ−３、・・・」、「Ｃ−１、Ｃ−２、Ｃ−３、・・・」、・・・が表示される。
【００４９】
また、セグメント５３Ａ、５３Ｂ、５３Ｃ・・・のいずれかにセグメント情報が入力されている場合、セグメント５３Ａ、５３Ｂ、５３Ｃ・・・のうちセグメント情報が入力されているものに対応して、ファイアウォールが自動的に設定される。本実施例では、セグメント５３Ａ、５３Ｂ、５３Ｃにセグメント情報が入力されているので、セグメント５３Ａ、５３Ｂ、５３Ｃに対応するサーバラインＬａ，Ｌｂ，Ｌｃの最初の位置マークの部分に、ファイアウォール画像ＦＷＧが接続表示されている。しかも、セグメント情報が入力されているセグメント５３Ａ、５３Ｂ、５３Ｃに対応してネットワークマークＩｍｋがそれぞれ表示され、サーバラインＬａ，Ｌｂ，Ｌｃはインターネットなどを示すネットワークマークＩｍｋから延びているように接続表示される（実際には、少し離れた状態で表示されているが、接続表示と見なす）。ネットワークマークＩｍｋは、ＶＰＮ接続する場合のみ必要である。また、広域ＬＡＮ回線と接続する場合もある。
【００５０】
このようなセグメントの設定状態表示画面５２において、セグメント情報の入力が間違っていなければ、つまり本実施例ではセグメント５３Ａ、５３Ｂ、５３Ｃの入力内容が間違っていなければ、仮想サーバの作成を行う。
【００５１】
この仮想サーバの作成を行う場合、仮想サーバ作成用の「作成」ボタン５４をマウス(図示せず)でクリックする（ステップＳ７）。この操作により、図１の制御回路１０ａは、図１３に示した仮想サーバ作成画面（サーバ設定画面）５５を表示装置２１ｂに表示させる。
【００５２】
この仮想サーバ作成画面５５には、作成する仮想サーバの基本情報を入力する仮想サーバ基本情報入力部５６と、作成する仮想サーバの設定情報を入力する仮想サーバ設定情報入力部５７が表示される。仮想サーバ基本情報入力部５６には、サーバＩＤ、プロジェクト名、ホスト名、サーバ名、ゲストＯＳ、備考等の入力部（符号省略）が設けられている。尚、表示位置のサーバ位置表示部５５ａには、他の後述する方法で設定された位置が表示される。
【００５３】
また、仮想サーバ設定情報入力部５７には、コース、ｖＣＰＵ、メモリ（メモリ容量を示すＭＢ）、構成、ネットワークのインターフェース、ＩＰアドレス、ディスク（ディスクに関する情報）等の入力部（符号省略）が設けられている。
【００５４】
このような仮想サーバ基本情報入力部５６と仮想サーバ設定情報入力部５７に必要な情報（図１６参照）を入力して、「登録」ボタン４８をマウス(図示せず)でクリックする。この仮想サーバ作成画面５５において、必要な情報は少なくとも作成する仮想サーバのプロジェクト名である。他の情報は、後で設定することを選択することができる。
【００５５】
そして、「表示位置」ボタン５５ａがマウス(図示せず)によりクリックされると、図１４に示したサーバ表示位置を設定するためのサブ画面５９が仮想サーバ作成画面５５上にサーバ画像配置設定部としてポップアップ表示される。このサブ画面（サーバ画像配置設定部）５９の左側の縁部にはネットワークセグメントＡ，Ｂ，Ｃ・・・を示すセグメント情報列Ｙが設けられ、サブ画面５９の上縁部には配設位置を示す配設位置情報行Ｘが設けられている。
【００５６】
セグメント情報列Ｙは、ネットワークセグメントＡ，Ｂ，Ｃ・・・に対応するセグメント識別文字Ａ、Ｂ、Ｃ・・・を縦に配列表示したものである。また、配設位置情報行Ｘはサーバラインにおける配設位置番号１、２、３、・・・を横方向に直列に配列表示したものである。
【００５７】
このセグメント識別文字Ａ、Ｂ、Ｃ・・・と配設位置番号１、２、３、・・・との対応部分には画像配置選択部である位置選択ボタンＳｂｔがそれぞれ配置されている。このようにして、複数の位置選択ボタンＳｂｔは、画像配置選択部としてマトリックス状に配列されている。
【００５８】
尚、画像配置選択部としての位置選択ボタンＳｂｔは、各ネットワークセグメントＡ、Ｂ、Ｃ・・・を示すセグメント情報列Ｙのセグメント識別文字Ａ、Ｂ、・・・毎に直線状に直列に配列されて、直線状の選択部配列Ｙａ，Ｙｂ、Ｙｃ・・・を構成している。この選択部配列をセグメント識別文字Ａ、Ｂ、・・・毎に複数設けて多段にすることにより、位置選択ボタンＳｂｔ（画像配置選択部）がマトリックス状に配列されていると言うこともできる。
【００５９】
このように位置選択ボタンＳｂｔがマトリックス状に複数配列されているサブ画面（サーバ画像配置設定部）５９を用いて、仮想サーバを設定したい場所をマウス(図示せず)により選択する。即ち、仮想サーバを設定したい場所を設定したい場合、サブ画面５９においてマトリックス状に配列された複数の位置選択ボタンＳｂｔ（画像配置選択部）の一つをマウス(図示せず)で選択してクリックする。これにより、仮想サーバを配置する位置が、図１４の仮想サーバ作成画面５５の表示位置のサーバ位置表示部５５ａ(図１３参照)に表示される。本実施例では、セグメント５３Ｂ（図１５参照）を示すセグメント識別文字「Ｂ」と配置位置番号「３」に対応する位置選択ボタンＳｂｔが選択されているので、図１４のサーバ位置表示部５５ａにはセグメント識別番号「Ｂ−３」が図１６に示したように表示される。
【００６０】
また、図１５において、セグメント５３ＢはＤＭＺセグメントであるので、サーバラインＬｂはＤＭＺ領域を示すＤＭＺラインを意味する。従って、本実施例のように、セグメント識別文字「Ｂ」と識別番号「３」に対応する位置選択ボタンＳｂｔが選択されると、図１５に示したようにサーバ画像ＳｇがサーバラインＬｂとサーバラインＬｃに接続した状態で表示される。これにより、サーバ画像Ｓｇは、サーバラインＬｂのファイアウォール画像ＦＷＧとサーバラインＬｃのファイアウォール画像ＦＷＧとで設定されるＤＭＺ領域に配置されていることが直感的に識別できる。
【００６１】
この状態では、サーバ画像Ｓｇで示されるストレージ１１内の仮想サーバが初期状態である。この初期状態では、ストレージ１１内に設定される仮想サーバにはＯＳがインストールされておらず、停止状態にある。従って、サーバ画像Ｓｇの背景は停止状態を示すため例えば「グレー」で表示させる。尚、停止状態を示す背景色は他の色であっても良い。
【００６２】
また、このサーバ画像Ｓｇの上部にはサーバ名が表示される（図１５では「Ｗｅｂサーバ」となっている。更に、サーバ画像Ｓｇの下部には、コンソールアイコン６０、ダッシュボードアイコン６１、コントロールパネルアイコン６２が配置されている。
【００６３】
このコントロールパネルアイコン６２をマウス（図示せず）でクリックすると（ステップＳ８）、仮想サーバ作成画面５５が表示され、その上部には図１６に示したように「ＩＳＯイメージマウント」ボタン６３が表示される。サーバ画像Ｓｇで示される仮想サーバの仮想ドライブにＯＳのインストールイメージをマウントさせるために、「ＩＳＯイメージマウント」ボタン６３をマウス（図示せず）でクリックすると、図１７に示した「ＩＳＯイメージマウント」画面６４がＯＳインストール画面としてポップアップ表示される。この「ＩＳＯイメージマウント」画面６４には、「仮想ドライブ用デバイスドライバ」、「システムテンプレート」、「ＩＳＯイメージ」等のマウント設定枠（マウント設定部）６４ａ、６４ｂ、６４ｃが表示される。このマウント設定枠６４ａ、６４ｂ、６４ｃの右端部にはマウント選択ボタン６４ａ１、６４ｂ１，６４ｃ１が設けられ、このマウント選択ボタン６４ａ１、６４ｂ１，６４ｃ１をマウス（図示せず）でクリックすることにより、「マウント」、「アンマウント」の選択項目がプルダウン表示される。
【００６４】
初期状態では図１７に示すようにマウント設定枠６４ａ、６４ｂ、６４ｃ内に「アンマウント」が表示されている。従って、ＯＳをインストールするために、マウント設定枠６４ａ、６４ｂ、６４ｃを「マウント」に設定して、「登録」ボタン４８をマウス（図示せず）でクリックする。この登録により、表示装置２１ｂには図１８に示した設定状態表示画面（サーバ管理画面）５２が表示される。
【００６５】
次に、この設定状態表示画面５２において、ダッシュボードアイコン６１をマウス（図示せず）でクリックして、図１９に示した仮想サーバのダッシュボード画面６５を表示装置２１ｂに表示させる。このダッシュボード画面６５には、「仮想サーバ基本情報」、「仮想サーバリソース」、「仮想サーバ操作」で示されるサーバ操作部６６が表示される。そして、「仮想サーバ基本情報」、「仮想サーバリソース」には、仮想サーバ作成画面５５で仮想サーバに設定された情報が図１９のように表示される。
【００６６】
また、サーバ操作部６６には、「ＣＤドライブ」、「仮想サーバ」の設定枠６６ａ、６６ｂが設けられている。この設定枠６６ａ，６６ｂには選択ボタン６６ａ１、６６ｂ１が設けられている。この選択ボタン６６ａ１をクリックするとＯＳの選択項目がプルダウンメニューで表示される。現在は、このプルダウンメニューの中からＣｅｎｔＯＳ６．３が選択されていて、「マウント」ボタン６６ａ２をマウス（図示せず）でクリックすると、ＣｅｎｔＯＳ６．５がマウントされる。
【００６７】
また、設定枠６６ｂの選択ボタン６６ｂ１マウス（図示せず）でクリックすると、サーバ操作の「起動」、「停止」等の選択項目がプルダウンメニューで表示される。ここでは、「起動」を選択して、「実行」ボタン６６ｂ２をマウス（図示せず）でクリックすると、マウントされたＯＳ「ＣｅｎｔＯＳ６．３」が起動可能な状態となる。尚、６６ｂ３は、仮想サーバの最新の状態を画面に反映するための「更新」ボタンである
【００６８】
そして、「実行」ボタン６６ｂ２がクリックされると、表示装置２１ｂには図２０に示した設定状態表示画面（サーバ管理画面）５２が表示される。この設定状態表示画面５２において、コンソールアイコン６０をマウス（図示せず）でクリックすると、コンソールはブラウザの別画面であるＯＳインストール画面６７を開いて表示させる。このＯＳインストール画面６７には、マウントされた「ＣｅｎｔＯＳ６．３」がインストールされている状態が表示される。このインストールが正常に終了すると、表示装置２１ｂには図２１の設定状態表示画面（サーバ管理画面）５２が表示される。
【００６９】
このＯＳのインストールが正常に終了すると、サーバ画像Ｓｇの仮想サーバが正常に起動している状態となるので、サーバ画像Ｓｇの背景は正常に起動していることを示すグリーン（緑）になる。この起動状態を示すグリーン（緑）は、図１４のサブ画面（サーバ画像配置設定部）５９を表示したときマトリクス状に配置された位置選択ボタンＳｂｔにも反映して表示される。本実施例では、セグメント識別番号「Ｂ−３」の位置に配置されたサーバ画像Ｓｇの背景がグリーンの起動状態になるので、次にサブ画面５９を表示したときに、図１４のサブ画面（サーバ画像配置設定部）５９の「セグメント識別文字Ｂ」と配設位置番号「３」とに対応する位置選択ボタンＳｂｔ「Ｂ−３」がグリーンに表示される。
【００７０】
尚、セグメント識別番号「Ｂ−３」の位置に配置されたサーバ画像Ｓｇの背景がグレーの場合には、サーバ画像Ｓｇに対応する仮想サーバが停止状態となっている。この場合には、図１４のサブ画面（サーバ画像配置設定部）５９の「セグメント識別文字Ｂ」と配設位置番号「３」とに対応する位置選択ボタンＳｂｔ「Ｂ−３」がグレーに表示される。
【００７１】
このように複数の位置選択ボタンＳｂｔの色とこれに対応して配置されたサーバ画像の背景色は、死「停止状態」がグレーで表示され、活「起動状態」がグリーンで表示される。しかも、図１４のサブ画面（サーバ画像配置設定部）５９には、仮想サーバが設定されていない位置選択ボタンＳｂｔは無色（通常は白色）に表示される。従って、図１４のサブ画面（サーバ画像配置設定部）５９において、仮想サーバのサーバ画像を設定状態表示画面（サーバ管理画面）５２に配置する位置を、複数の位置選択ボタンＳｂｔの表示色から容易に選択できるので、サーバ画像の配置位置が重複するような操作をすることがない。
【００７２】
上述のように、ステップＳ８でＯＳがインストールされた後、ステップＳ９で通報先の設定を行い、ステップＳ１０で監視項目の設定を行って終了する。ここで、監視項目の設定は、プロジェクト状況表示、ダッシュボード、コントロールパネルで行う。
【００７３】
(iii)．構築された仮想サーバの管理および監視
上述した(ii)の「登録ユーザ（顧客）２０による仮想サーバの構築」の操作を繰り返すことで、クラウドサーバ４のストレージ１１には多数の仮想サーバを多段に設定できる。図２２は、このようにして構築された仮想サーバの設定状態表示画面（サーバ管理画面）５２を示したものである。
【００７４】
尚、図３は、クラウドサーバ４のストレージ１１に構築した仮想サーバが多段に形成されている状態を、表示装置２２の画面（サーバ管理画面）２２ａに表示させた一例を示したもので、上述した(ii)の「登録ユーザ（顧客）２０による仮想サーバの構築」の操作で構築された図２２の例とは異なる。
【００７５】
図２２では、図１に示した物理サーバ１０のうちの監視サーバ１０ｂを、ストレージ１１に構築された仮想サーバの説明のために、設定状態表示画面（サーバ管理画面）５２と共に図示している。この監視サーバ１０ｂは、仮想サーバが構築されているセグメント５３Ｂ、５３Ｃの監視、即ちセグメント５３Ａ、５３Ｂの破線枠７０，７１内のサーバ画像Ｓｇ（Ｂ１），Ｓｇ（Ｂ２）、Ｓｇ（Ｃ１）〜Ｓｇ（Ｃ３）で示される仮想サーバの監視を破線枠７２内のファイアウォール画像ＦＷＧ（Ｂ）、ＦＷＧ（Ｃ）で示すファイアウォールを介して行っている。この監視サーバ１０ｂは、エンドユーザからは見えないものであり、ユーザの仮想サーバの監視を行う。この監視は、仮想サーバの死活監視、即ち、起動状態か停止状態かの監視と、閾値の設定によるリソースの監視などを行う。
【００７６】
また、ファイアウォールは、本来のファイアウォールの役割と、そのセグメントに接続される仮想サーバを監視するためのゲートウエイ機能をもっている。そして、仮想サーバの監視をするためには、各セグメントにファイアウォールは必須となる。従って、セグメント５３Ｂ，５３Ｃはファイアウォール画像ＦＷＧ（Ｂ）、ＦＷＧ（Ｃ）で示したファイアウォールが設定される。
【００７７】
この図２２では、ストレージ１１に設定されるセグメント５３Ｂ内のサーバ領域に「Ｗｅｂサーバ」と「メールサーバ」が構築されていることが、「Ｗｅｂサーバ」のサーバ画像Ｓｇ（Ｂ１）と、「メールサーバ」のサーバ画像Ｓｇ（Ｂ２）から直感的に確認できるようになっている。そして、「Ｗｅｂサーバ」のサーバ画像Ｓｇ（Ｂ１）は画像配設位置を示す位置マーク「Ｂ−３」の位置に表示され、「メールサーバ」のサーバ画像Ｓｇ（Ｂ２）は画像配設位置を示す位置マーク「Ｂ−４」の位置に表示されている。このセグメント５３Ｂ内に構築される仮想サーバ類は、インターネットに接続する必要のあるサーバ類である。このインターネットに接続する必要のあるサーバ類とは、会社のホームページなどを一般向けに公開するサーバや社外とのメールのやりとりをするメールサーバなどを指す。
【００７８】
また、図２２では、ストレージ１１に設定されるセグメント５３Ｃ内のサーバ領域に「ＤＢサーバ」、「ファイルサーバ」、「バックアップサーバ」が構築されていることが、「ＤＢサーバ」のサーバ画像Ｓｇ（Ｃ１）と、「ファイルサーバ」のサーバ画像Ｓｇ（Ｃ２）と、「バックアップサーバ」のサーバ画像Ｓｇ（Ｃ３）から直感的に確認できるようになっている。そして、「ＤＢサーバ」のサーバ画像Ｓｇ（Ｃ１）は画像配設位置を示す位置マーク「Ｃ−３」の位置に表示され、「ファイルサーバ」のサーバ画像Ｓｇ（Ｃ２）は画像配設位置を示す位置マーク「Ｃ−４」の位置に表示され、「バックアップサーバ」のサーバ画像Ｓｇ（Ｃ３）は画像配設位置を示す位置マーク「Ｃ−５」の位置に表示されている。このセグメント５３Ｃ内に構築されるサーバ類は、インターネットに接続する必要のないサーバ類である。このインターネットに接続する必要のないサーバ類とは、ＶＰＮ回線などを用いることにより、一般に公開しないで、ユーザ/顧客の社内からのみアクセスするサーバ類を指す。
【００７９】
尚、設定状態表示画面（サーバ管理画面）５２には、図２２の監視サーバ１０ｂや吹出の説明、破線枠７０，７１，７２を省略した状態で、図２３のように表示される。
【００８０】
この発明の実施の形態では、以下に説明する作用・効果を有する。
（１）．この発明の実施の形態のクラウドサーバ管理システムは、インターネット３を介して端末（２，２１）を接続させるデータ管理装置（クラウドサーバ４）が設けられていると共に、前記データ管理装置（クラウドサーバ４）の制御手段（制御回路１０ａ）が前記端末２１の操作によりサーバ設定画面（仮想サーバ作成画面５５）とサーバ管理画面（設定状態表示画面５２）を前記端末２１の表示手段２１ｂに選択的に表示させる。また、前記制御手段（制御回路１０ａ）は、前記インターネット３を示すネットワークマークＩｍｋと、前記データ管理装置（クラウドサーバ４）のファイアウォールを示すために前記ネットワークマークＩｍｋに接続されたファイアウォール画像ＦＷＧと、前記ファイアウォールによって前記データ管理装置（クラウドサーバ４）のストレージ１１に確保されるサーバ領域を示すためのサーバライン（Ｌａ，Ｌｂ，Ｌｃ・・・）と、を前記サーバ管理画面（設定状態表示画面５２）に表示させる。更に、制御手段（制御回路１０ａ）は、複数の画像配置選択部（位置選択ボタンＳｂｔ）が配列されたサーバ画像配置設定部（サブ画面５９）を前記サーバ設定画面（仮想サーバ作成画面５５）に表示させる。しかも、前記制御手段（制御回路１０ａ）は、前記複数の画像配置選択部（位置選択ボタンＳｂｔ）の一つが前記端末２１の操作手段で選択されたとき、前記ストレージ１１に構築される仮想サーバのサーバ画像Ｓｇを、選択された前記画像配置選択部（位置選択ボタンＳｂｔ）の配列位置に対応させて前記サーバ管理画面（設定状態表示画面５２）に表示させると共に、この表示に際して前記サーバ画像Ｓｇを前記サーバライン（Ｌａ．Ｌｂ，Ｌｃ・・・）に接続した状態で前記サーバ管理画面（設定状態表示画面５２）に表示させるようになっている。
【００８１】
この構成によれば、ユーザがクラウドを介して提供されるサーバに仮想サーバを自由かつ簡易に構築できる。しかも、クラウド環境におけるプライベートクラウドやパブリッククラウド等であることを直感的に容易に把握できる。また、仮想サーバの設定状態や仮想サーバの設けられている場所（領域）を容易に把握できる。更に、複数の画像配置選択部（位置選択ボタンＳｂｔ）の一つが端末２１の操作手段で選択されたとき、ストレージ１１に構築される仮想サーバのサーバ画像Ｓｇを、選択された前記画像配置選択部（位置選択ボタンＳｂｔ）の配列位置に対応させてサーバ管理画面（設定状態表示画面５２）に表示させる構成としたので、構築される仮想サーバのサーバ画像Ｓｇをサーバ管理画面（設定状態表示画面５２）に簡単な操作で容易に配置できる。
【００８２】
（２）．また、この発明の実施の形態のクラウドサーバ管理システムにおいて、前記制御手段（制御回路１０ａ）は、前記サーバライン（Ｌａ，Ｌｂ，Ｌｃ・・・）を前記サーバ管理画面（設定状態表示画面５２）に多段に表示させると共に、前記複数の画像配置選択部（位置選択ボタンＳｂｔ）が直線状に配列された選択部配列（セグメント識別文字Ａ、Ｂ、・・・毎に複数の位置選択ボタンＳｂｔで構成された配列）を前記多段の各サーバライン（Ｌａ，Ｌｂ，Ｌｃ・・・）に対応させてそれぞれ設けることにより、前記サーバ画像配置設定部に前記画像配置選択部（位置選択ボタンＳｂｔ）をマトリクス状に表示させるようになっている。
【００８３】
この構成によれば、多段に表示されるサーバライン（Ｌａ，Ｌｂ，Ｌｃ，・・・）をプライベートクラウド（プライベートセグメント）、パブリッククラウド（パブリックセグメント）等に分けて設定して管理することを容易にできる。
【００８４】
（３）．更に、この発明の実施の形態のクラウドサーバ管理システムにおいて、前記制御手段（制御回路１０ａ）は、前記各サーバ画像Ｓｇにサーバ内容設定用の複数の設定アイコン（コンソールアイコン６０、ダッシュボードアイコン６１、コントロールパネルアイコン６２）を表示させるようになっている。
【００８５】
この構成によれば，作成される仮想サーバの諸設定を、サーバ管理画面（設定状態表示画面５２）に表示される各サーバ画像の設定アイコン（コンソールアイコン６０、ダッシュボードアイコン６１、コントロールパネルアイコン６２）の操作により容易に実行できる。
【００８６】
（４）．また、この発明の実施の形態のクラウドサーバ管理システムにおいて、前記制御手段（制御回路１０ａ）は、前記サーバ管理画面（設定状態表示画面５２）に表示された仮想サーバの配置状態および使用状態を当該仮想サーバに対応する前記画像配置選択部（位置選択ボタンＳｂｔ）に表示させるようになっている。
【００８７】
この構成によれば、サーバ管理画面（設定状態表示画面５２）に配置されたサーバ画像Ｓｇとこれに対応する画像配置選択部（位置選択ボタンＳｂｔ）に、仮想サーバの配置状態および使用状態を表示させるようにしたので、仮想サーバの作成や設定操作を容易に行うことができる。しかも、構築される仮想サーバのサーバ画像をサーバ管理画面（設定状態表示画面５２）の同じ位置に重ならないように配置することが容易に行える。すなわち、サーバ画像の配置位置が重複するような操作をすることがない。
【００８８】
（５）．また、この発明の実施の形態の記載のサーバ管理システムにおいて、前記制御手段（制御回路１０ａ）は、前記仮想サーバの配置状態および使用状態を前記複数の画像配置選択部（位置選択ボタンＳｂｔ）に異なる色で表示させるようになっている。
【００８９】
この構成によれば、仮想サーバの配置状態および使用状態をサーバ設定画面の画像配置選択部（位置選択ボタンＳｂｔ）の表示色から容易に判断できる。
【符号の説明】
【００９０】
１  エンドユーザ
２  端末
３  インターネット
４  クラウドサーバ（データ管理装置）
１０ａ  制御回路（制御手段）
１１  ストレージ
２０  登録ユーザ
２１  端末
２１ｂ  表示手段
５２  設定状態表示画面（サーバ管理画面）を
５５  仮想サーバ作成画面（サーバ設定画面）
５９  サブ画面（サーバ画像配置設定部）
６０  コンソールアイコン（設定アイコン）
６１  ダッシュボードアイコン（設定アイコン）
６２  コントロールパネルアイコン（設定アイコン）
Ｉｍｋ  ネットワークマーク
ＦＷＧ  ファイアウォール画像
Ｌａ，Ｌｂ，Ｌｃ・・・  サーバライン
Ｓｂｔ  位置選択ボタン（画像配置選択部）
Ｓｇ  仮想サーバのサーバ画像
Ｙａ、Ｙｂ、Ｙｃ・・・  選択部配列
【図１】
0005925237.tif 000002
【図２】
0005925237.tif 000003
【図３】
0005925237.tif 000004
【図４】
0005925237.tif 000005
【図５】
0005925237.tif 000006
【図６】
0005925237.tif 000007
【図７】
0005925237.tif 000008
【図８】
0005925237.tif 000009
【図９】
0005925237.tif 000010
【図１０】
0005925237.tif 000011
【図１１】
0005925237.tif 000012
【図１２】
0005925237.tif 000013
【図１３】
0005925237.tif 000014
【図１４】
0005925237.tif 000015
【図１５】
0005925237.tif 000016
【図１６】
0005925237.tif 000017
【図１７】
0005925237.tif 000018
【図１８】
0005925237.tif 000019
【図１９】
0005925237.tif 000020
【図２０】
0005925237.tif 000021
【図２１】
0005925237.tif 000022
【図２２】
0005925237.tif 000023
【図２３】
0005925237.tif 000024